(57)【要約】    【課題】耐火ボードの方立側の固定が簡単かつ安価な部材で容易に行なえ、保管、組立も簡単になる固定手段を有するカーテンウォールを提供する。    【解決手段】躯体に固定されるファスナー１１、１２と、ファスナー１２に固定されるブラケット１３と、このブラケット１３に取付けられるパネル取付け用方立４と、パネルの室内側に方立４および横枠により支持して取付けられる耐火ボード９とを備える。耐火ボード９はその左右端部を方立４の室内側面４ａとブラケット１３との間に嵌め込む。ブラケット１３に設けたねじ孔１３ｃまたはブラケットに固定したナットにねじ込んだ押さえボルト３０の一端を耐火ボード９に圧接することにより、耐火ボード９を固定する。【選択図】図３
2006291621.tif 000002
【特許請求の範囲】
【請求項１】
躯体に固定されるファスナーと、ファスナーに固定されるブラケットと、このブラケットに取付けられるパネル取付け用方立と、パネルの室内側に横枠および方立により支持して取付けられる耐火ボードとを備え、
前記耐火ボードはその左右端部を方立の室内側に形成した受面と前記ブラケットとの間に嵌め込み、前記ブラケットに設けたねじ孔またはブラケットに固定したナットにねじ込んだ押さえボルトの一端を前記耐火ボードに圧接することにより、方立に固定される
ことを特徴とするカーテンウォール。
【発明の詳細な説明】
【技術分野】
【０００１】
本発明は、カーテンウォールに係わり、特に耐火ボードの取付け構造に関する。
【背景技術】
【０００２】
コンクリート建築物において、下階からその上に隣接する上階への延焼を防止するため、外壁を構成するパネルの内側には、下階の天井部から上階側の床部より所定の高さまで突出するように、耐火ボードが、方立や無目により周囲を支持させて取付けられる。従来の耐火ボードは、無目および方立に鋼板を曲成したコ字形のブラケットを取付け、そのブラケットを介して耐火ボードの周囲を無目および方立に取付ける（例えば特許文献１参照）。
【０００３】
【特許文献１】特開２００２−３７１６５７号公報
【発明の開示】
【発明が解決しようとする課題】
【０００４】
前述した従来の耐火ボードの方立への取付けは、鋼板でなるブラケットを介して行なうため、ブラケットが必要であり、このブラケットの作製のため、鋼板を所定のサイズに切断しプレス加工を必要とし、コスト高になるという問題点がある。また、耐火ボードは珪酸カルシウム等で成形により作製されるが、１時間延焼に耐える厚みを有する３５ｍｍ厚のものや、３０分の延焼に耐えうる２０ｍｍまたは２５ｍｍの厚みがあるため、その厚みに対応するサイズのブラケットを用意しておく必要があり、部品の種類が多くなり、保管や組立が煩雑になるという問題点がある。
【０００５】
本発明は、上記事情に鑑みてなされたもので、耐火ボードの方立側の固定が簡単かつ安価な部材で容易に行なえ、保管、組立も簡単になる固定手段を有するカーテンウォールを提供することを目的とする。
【課題を解決するための手段】
【０００６】
本発明のカーテンウォールは、躯体に固定されるファスナーと、ファスナーに固定されるブラケットと、このブラケットに取付けられるパネル取付け用方立と、パネルの室内側に横枠および方立により支持して取付けられる耐火ボードとを備え、
前記耐火ボードはその左右端部を方立の室内側に形成した受面と前記ブラケットとの間に嵌め込み、前記ブラケットに設けたねじ孔またはブラケットに固定したナットにねじ込んだ押さえボルトの一端を前記耐火ボードに圧接することにより、方立に固定される
ことを特徴とする。
【発明の効果】
【０００７】
本発明においては、ブラケットのねじ孔またはブラケットに固定するナットにねじ込むボルトと方立との間で挟み、ボルトを回すことでボルトを耐火ボードに圧接し固定する構造であるため、方立４に耐火ボードを固定するための専用のブラケットが不要になり、市販の安価なボルトを押さえボルトに使用して耐火ボードの固定を行なうことができる。また、押さえボルトのブラケットのねじ孔に対するねじ込み深さを調整することで種々の厚みの耐火ボードに対応できるため、耐火ボードの厚みが変わっても１種の取付け部材ですみ、部品保管や組立が容易となり、安価に実施することができる。
【０００８】
また、押さえボルトによって耐火ボードを方立に押しつけるため、耐火ボードと方立との間に隙間を生じることなく施工でき、延焼を防ぐための好適な構造が実現できる。
【発明を実施するための最良の形態】
【０００９】
図１は本発明によるカーテンウォールの一実施の形態を示す正面図（室外側から見た図）、図２はその縦断面図である。１はガラス等でなるパネル、２、３はパネル１を支持する縦枠および無目である。縦枠２は方立４の室外側の面に取付けられる。方立４は鉄筋コンクリート製床部５に取付け装置６を介して取付けられる。無目３は方立４に取付けられ、横枠７は無目３の室内側の面に取付けられる。９はパネル１の室内側に設けられた珪酸カルシウム等でなる耐火ボードであり、下階から上階への延焼を防止するものであり、この耐火ボード９は上下端を横枠７および方立４に設けたブラケット１０より支持し、左右の中間部を後述の機構により方立４に押しつけて取付けられる。
【００１０】
図３は前記取付け装置６を示す平面図、図４、図５はそれぞれ図３のＡ−Ａ断面図およびＢ−Ｂ断面図である。図３〜図５に示すように、取付け装置６は、埋め込みファスナー１１、位置調整用ファスナー１２およびブラケット１３により構成される。これらは床部５等の構築誤差や埋め込みファスナー１１の施工誤差等が生じても方立４を所定の取付け位置に取付けることが可能となるように後述の位置調整機能を有している。埋め込みファスナー１１は、アルミニウム合金製押出形材により作製される。位置調整用ファスナー１２およびブラケット１３も同様にアルミニウム合金製押出形材により作製される。
【００１１】
前記埋め込みファスナー１１は、床部５の室外側角の上部に埋め込んで固定されるように、Ｌ字形をなすものである。図６の平面図と図７の側面図に示すように、埋め込みファスナー１１の水平板部１１ａには、位置調整用ファスナー１２の取付け用ボルト１４の頭部１４ａを収容するための上面開口の溝１１ｂを左右方向に形成する。溝１１ｂの上面開口部には、互いに相手側に突出した突出部１１ｃを形成し、その突出部１１ｃ、１１ｃ間に前記ボルト１４を摺動自在に嵌める長孔１１ｄを形成する。長孔１１ｄの幅はボルト１４のねじ部の直径よりわずかに広く、頭部１４ａの直径より狭い。また、突出部１１ｃは、溝１１ｂの長手方向の中央部において切除し、その切除部１１ｅをボルト１４の挿入部とする。
【００１２】
また、溝１１ｂの底部には、アンカーボルト１５を挿通する貫通孔１１ｆを穿孔する。アンカーボルト１５は、図４に示すように、頭部を下にして、先端を前記貫通孔１１ｆに挿通し、溝１１ｂに収容したナット１６と溝１１ｂの外で螺合したナット１７との間で締結して埋め込みファスナー１１に固定する。１１ｇは床部５に対する固定強度を高めるためのアンカー片である。
【００１３】
１８はコンクリートに埋め込む際に溝１１ｂへのコンクリートの浸入を防止するための蓋であり、この蓋１８は溝１１ｂを形成した部分の両側に設けたタッピング溝１１ｈにねじ込むタッピングねじ１８ａによって埋め込みファスナー１１の両端に固定されて溝１１ｂを閉塞する。
【００１４】
位置調整用ファスナー１２は、前記ボルト１４を挿通する２本の長孔１２ａを有する。位置調整用ファスナー１２の取付け時には、前記ボルト１４の頭部１４ａを、埋め込みファスナー１１の突出部１１ｃの切除部１１ｅから挿入し、スライドさせて頭部１４ａを溝１１ｂ内に潜らせる。このボルト１４の挿通、スライドは２本のボルト１４について行ない、それぞれ溝１１ｂの中央部の切除部１１ｅから互いに反対側に間隔を持たせて保持させる。そして２本のボルト１４に位置調整用ファスナー１２の対応する長孔１２ａを嵌める。そして、位置調整用ファスナー１２の左右方向の位置調整は、ボルト１４を溝１１ｂに沿ってスライドさせながら行ない、出入り方向の調整は、ボルト１４に対して長孔１２ａをスライドさせて行なう。そして、最適の場所でボルト１４にワッシャ１９を嵌め、ナット２０を螺合、締結して固定する。埋め込みファスナー１１、位置調整用ファスナー１２およびワッシャ１９の少なくとも相互の接触面は凹凸を形成してボルト１４、ナット２０による締結状態における相互の滑りを防止する。
【００１５】
位置調整用ファスナー１２の方立４側端部には上方に突出するＵ字形の曲成部１２ｂを設け、その曲成部１２ｂには、ブラケット１３を取付けるボルト２１を挿通するために出入り方向に貫通孔１２ｃを設ける。一方ブラケット１３の左右端部近傍には、その上下位置を調整可能に取付けるための上下方向に長い長孔１３ａを設ける。
【００１６】
２３はブラケット１３の上下位置を調整するための調整ボルトである。この調整ボルト２３は、ブラケット１３の左右方向の中央部に縦に設けたＵ字形の孔１３ｂに差し込まれる。また、この調整ボルト２３の孔１３ｂへの挿入部の上下には、この調整ボルト２３を固定するためのナット２４、２５を螺合する。このブラケット１３の位置調整用ファスナー１２への位置調整、固定は、前記位置調整用ファスナー１２の位置調整と共に行なう。この高さ調整は、ブラケット１３の締結用のボルト２１を位置調整用ファスナー１２の貫通孔１２ｃに挿通してそのボルト２１に、曲成部１２ｂ内に収容したナット２６に緩くねじ込んでおき、また、前記ナット２４、２５を緩めておいて、孔１３ｂに差し込んだ調整ボルト２３の下端を位置調整用ファスナー１２の曲成部１２ｂの上面に当てた状態でその差し込み深さを変えることによってブラケット１３の上下位置を、その締結用のボルト２１に対して長孔１３ａをスライドさせながら調整する。そして、このブラケット１３の高さを適正な高さに調整した後、ボルト２１、ナット２６の締め込みと、調整ボルト２３のナット２４、２５との締め込みを行なうことにより、ブラケット１３を位置調整用ファスナー１２に固定する。
【００１７】
ブラケット１３に対する方立４の取付けは、ブラケット１３の突出部１３ｂに貫通孔１３ｃを設け、その貫通孔１３ｃにボルト２７を挿通すると共に、方立４に設けた貫通孔４ａに挿通し、これにナット２９を螺合し締結することにより行なう。
【００１８】
３０は前記耐火ボード９を押さえるためのボルトであり、この押さえボルト３０は、前記ブラケット１３の上部の左右に設けたねじ孔１３ｄに螺合し、先端側にナット３１を螺合する。耐火ボード９の取付けの際には、押さえボルト３０を予めブラケット１３のねじ孔１３ｃに、その頭部３０ａを方立４側に向けて深くねじ込んでおき、耐火ボード９の両端を方立４の室内側に設けた左右の受面４ｂとブラケット１３との間に挿入して耐火ボード９の下端を横枠７および方立４に設けたブラケット１０（図２参照）により支持させ、続いて押さえボルト３０をそのねじ込み深さを浅くする方向に回してその頭部３０ａを耐火ボード９に圧接して耐火ボード９を方立４の受面４ａに押しつける。この状態でナット３１を閉めることにより、押さえボルト３０をねじ孔１３ｃとナット３１とのダブルナット構造でブラケット１３に固定する。耐火ボード９と床部５との間には蓋（図示せず）により閉塞する。
【００１９】
このように、本発明においては、ブラケット１３のねじ孔１３ｄにねじ込む押さえボルト３０と方立との間で耐火ボード９を挟み、押さえボルト３０を回すことで押さえボルト３０を耐火ボード９に圧接し固定するようにしたので、方立４に耐火ボード９を固定するための専用のブラケットが不要になり、市販の安価なボルトを押さえボルト３０に使用して耐火ボード９の固定を行なうことができる。また、押さえボルト３０のブラケット１３のねじ孔１３ｄに対するねじ込み深さを調整することで種々の厚みの耐火ボードに対応できるため、耐火ボード９の厚みが変わっても１種の取付け部材ですみ、部品保管や組立が容易となり、安価に実施することができる。
【００２０】
また、押さえボルト３０によって耐火ボード９を方立４に押しつけるため、耐火ボード９と方立４との間に隙間を生じることなく施工でき、延焼を防ぐための好適な構造が実現できる。
【００２１】
上記実施の形態においては、ブラケット１３に押さえボルト３０をねじ込むためのねじ孔１３ｃを設けたが、その代わりにブラケット１３に貫通孔を設けてその貫通孔と同心にナットを溶接して、そのナットに押さえボルト３０をねじ込むようにしてもよい。また、上記実施の形態においては、耐火ボード９に対して押さえボル３０の頭部３０ａを当接させることにより、耐火ボード９に押さえボルト３０が食い込むことがないように構成したが、押さえボルト３０の先端を耐火ボード９に当ててもよい。また、押さえボルト３０の耐火ボード９への食い込みを防ぐために耐火ボード９に受面を構成する硬質の金属、プラスチックあるいはセラミック等からなる板材を設けてもよく、押さえボルト３０の先端または頭部に耐火ボード９との当接面積を拡げる当接部材を嵌合や溶接等により取付けてもよい。
【００２２】
また、上記実施の形態においては、埋め込みファスナー１１と位置調整用ファスナー１２との２つのファスナーを設けた例について示したが、１つのファスナーを設ける場合にも本発明は適用可能である。その他、方立４、ブラケット１３、耐火ボード９の具体的構造や取付け構造等について、上記実施の形態に限らず種々の変更、付加が可能である。
【図面の簡単な説明】
【００２３】
【図１】本発明のカーテンウォールの一実施の形態を示す正面図である。
【図２】本実施の形態のカーテンウォールの縦断面図である。
【図３】本実施の形態の方立の取付け装置を示す平面図である。
【図４】図３のＡ−Ａ断面図である。
【図５】図３のＢ−Ｂ断面図である。
【図６】本実施の形態の埋め込みファスナーを示す平面図である。
【図７】本実施の形態の埋め込みファスナーの部分側面図である。
【符号の説明】
【００２４】
１：パネル、２：縦枠、３：無目、４：方立、５：床部、６：方立取付け装置、７：横枠、８：躯体、９：耐火ボード、１０：ブラケット、１１：埋め込みファスナー、１１ａ：水平板部、１１ｂ：溝、１１ｃ：突出部、１１ｄ：長孔、１１ｅ：切除部、１１ｆ：貫通孔、１１ｇ：アンカー片、１２：位置調整用ファスナー、１２ａ：長孔、１２ｂ：曲成部、１２ｃ：貫通孔、１３：ブラケット、１３ａ：長孔、１３ｂ：孔、１３ｄ：ねじ孔、１４：ボルト、１４ａ：頭部、１５：アンカーボルト、１６、１７：ナット、１９：ワッシャ、２０：ナット、２１：ボルト、２３：調整ボルト、２４〜２６：ナット、２７：ボルト、３０：押さえボルト、３１：ナット
【図１】
2006291621.tif 000003
【図２】
2006291621.tif 000004
【図３】
2006291621.tif 000005
【図４】
2006291621.tif 000006
【図５】
2006291621.tif 000007
【図６】
2006291621.tif 000008
【図７】
2006291621.tif 000009